(57)【要約】      （修正有）【課題】垂直な塔内に固体粒子や充填物を充填し、気液の接触を目的として運転される化学装置（例えば硫酸製造設備における、冷却洗浄塔、転化器、乾燥塔、吸収塔等）において、固体粒子や充填物を保持する格子状構造体としてのポリプロピレン製ユニット式グリッドバーが長期運転中に移動や変形を防止するポリプロピレン製固定冶具を提供する。【解決手段】気液の接触を目的として運転される化学装置に用いられるポリプロピレン製板状矩形固定治具Ａ、Ｂであって、塔内に充填する固体粒子や充填物を保持するポリプロピレン製格子状構造体であるユニット式グリッドトレーの隣り合うユニット式グリッドトレーの連結固定棒（丸棒）２端部どうしを跨ぐＵ字型切り欠き溝を有し、切り欠き溝は、隣り合うユニット間隙の厚みと下部トレー支持台（アーチ）幅の長さ及びグリッドバーの高さの形状を有する。【選択図】図１
0003218445.tif 000002
【実用新案登録請求の範囲】
【請求項１】
気液の接触を目的として運転される化学装置において、塔内に充填する固体粒子や充填物を保持するポリプロピレン製格子状構造体であるユニット式グリッドトレーが運転時の振動や偏心荷重に依って移動・変形することを防止するポリプロピレン製固定冶具を提供する。
【考案の詳細な説明】
【技術分野】
【０００１】  化学装置（例えば硫酸製造設備における、冷却洗浄塔、転化器、乾燥塔、吸収塔等）においてポリプロピレン製品の溶接部の耐食性や強度的劣化が問題になる場合がある。
溶接部を一切排したポリプロピレン製ユニット式グリッドトレーはポリプロピレン製グリッドバーを固定棒、スペーサーで連結、端部をストッパーで固定しユニット構成され当該課題を解決する手段として有効である。しかし運転中にグリッドトレーには梁強度計算モデルでは解析できない気液流動体や充填物の複雑な振動、偏心荷重が作用する。その場合、固定棒端部でトレーバーを固定するストッパーが損傷してグリッドバー及びユニット全体が移動や変形を起こす恐れがある。長期間の運転中にストッパーが損傷しても移動や変形に依って空隙率（グリッドバー間隔）が変化しないような安全対策が必要である。
【背景技術】
【０００２】上記化学装置に使用される耐酸磁器製グリッドトレーはポリプロピレン製グリッドトレー（トレーバー、連結固定棒、スペーサー、端部ストッパーで構成）のように工場でユニット化してから現場据え付けすることは困難であるため現場でグリッドバー間隙にグリッドブロックを装入してトレー空隙率とトレー位置固定を図る。
一方工場で加工されユニット化されたポリロピレン製グリッドトレーは据付け現場の塔内でトレー支持台上に平面的敷設後、そのまま充填物を装入して運転に入る。
運転中に気液流動体、充填物の振動や充填物偏心荷重に依って固定棒の端部ストッパーが損傷してグリッドバー単体或はユニット一式が移動・変形する恐れがある。従って気液流動体や充填物に起因する複雑な振動や偏心荷重を最小限に抑えるため個々のユニットグリッドトレーを据付け後、トレーバー間隔を一定に保持すると同時に隣り合うユニットの固定棒端を跨ぐ板状固定冶具が必要である。
【先行技術文献】
【特許・実用新案文献】
【０００３】
【非特許文献】
【０００４】
【非特許文献１】‘Ｃｅｒａｍｉｃ  Ｐａｃｋｉｎｇ  ａｎｄ  Ｉｎｔｅｒｎａｌｓ  ｆｏｒ  Ａｃｉｄｉｃ  Ａｐｐｌｉｃａｔｉｏｎｓ’Ｃａｔａｌｏｇｕｅ  ｏｆ  Ｓａｉｎｔ  Ｇｏｂａｉｎ  Ｃｏｒｐｏｒａｔｉｏｎ．Ｎｏｒｐｒｏ  Ａｌｕｄｕｒ  ｇｒｉｄ  ｂａｒｓ  ａｒｅ  ｉｄｅａｌ  ｆｏｒ  ｕｓｅ  ａｓ  ｐｒｉｍａｒｙ  ｓｕｒｐｐｏｒｔｓ  ｉｎ  ｓｕｌｆｕｒｒｉｃ  ａｃｉｄ  ａｂｓｏｒｂｅｒｓ，ｄｒｉｅｒｓ，ｃｏｏｌｅｒｓ  ａｎｄ  ｏｔｈｅｒ  ｈｉｇｈｌｙ  ｃｏｒｒｏｓｉｖｅ  ａｐｐｌｉｃａｔｉｏｎ  ｉｎ  ｌａｒｇｅ−ｄｉａｍｅｔｅｒ  ｔｏｗｅｒｓ．
【実用新案文献１】
実公平２４−３１７５４５６  ポリプロピレン製ユニット式グリッドバー
【考案の概要】
【考案が解決しようとする課題】
【０００５】［産業上の利用分野］
本考案は硫酸製造設備など垂直な塔内に固体粒子や充填物を充填し、気液の接触を目的に運転される化学装置において、固体粒子や充填物を保持するグリッドトレー（図１）が振動や偏心荷重を受けても空隙率変化や機械的損傷が無い様、隣り合うグリッドトレー間の間隙を埋めると同時に相互に連結してグリッドトレー全体の機能維持を図るために設置される固定冶具である。【０００６】  充填物を有する化学装置は、その下部に気体及び液体が通過する空間を持つ複数のアーチ（図４の５）が耐酸磁器煉瓦やＦＲＰライニング構造体によって構築され、このアーチの上にユニット式ポリプロピレン製格子状構造体〔即ちグリッドトレー：（図３及び図４の１）〕が隣り合って個々に整列され塔内全体に整列・平面状に敷設される。【０００７】  一平面内に敷設された個々のグリッドトレーは相互に連結、固定しないと運転中に振動や上記アーチ（図４の５）が傾斜や凹凸のため移動して互いが重なって変形や離反する恐れがある。その結果グリッドトレーの空隙率が変化や極端な場合にはグリッドバーが変形して性能に支障をきたす事がある。
【課題を解決するための手段】
【０００８】  本考案は、塔内に充填する固体粒子や充填物を保持する格子状構造体、即ち隣り合う各々のユニット式グリッドバー両端固定ロッド部分（図・・・）を跨ぐ固定支持具で連結することに依りグリッドトレー面全体を緊縛固定する事が可能となり、予めセットした固定棒両端のストッパーが損傷した場合でもグリッドバーの重なり、離反、変形等の防止策の役割をする。【０００９】  本考案のポリプロピレンを材質としたユニット式グリッドトレー間の固定支持具の構造を示す。・・・図Ａ（両端部用）、図Ｂ（中央部用）
ユニット式グリッドトレーの両丸棒端部を跨ぎ連結する。グリッドバーと固定冶具は十分な接触面を有するため隣り合う双方のグリッドバーの面間隔は常に正常に保たれ充填物の一時的偏在が（偏心荷重）あっても有害な傾斜や変形を防ぐことが出来る。【００１０】
【考案の効果】
【００１１】  隣り合うポリプロピレン製ユニット式グリッドトレーの固定棒端を跨ぐよう切り欠きを有した板状固定冶具を全ての対象箇所に装入した結果、グリッドトレーは互いに強固に結束され固定棒両端ストッパーの損傷及びトレーバー間隔は常に垂直に保つことが可能となり安定操業に貢献した。
【図面の簡単な説明】
【００１２】
【図１】ポリプロピレン製ユニット式グリッドバー平面図  Ａ．固定治具（Ａタイプ）  Ｂ．固定治具（Ｂタイプ）  １．平板  ２．丸棒  ３．パイプ
【図２】ポリプロピレン製ユニット式グリッドバー側面図  Ａ．固定治具（Ａタイプ）  Ｂ．固定治具（Ｂタイプ）  １．平板  ２．丸棒
【図３】塔平面図  Ａ．固定治具（Ａタイプ）  Ｂ．固定治具（Ｂタイプ）  １．平板  ３．パイプ  ５．傾斜角型スペーサ
【図４】塔側面図  Ａ．固定治具（Ａタイプ）  Ｂ．固定治具（Ｂタイプ）  １．平板  ２．パイプ  ４．アーチ
【産業上の利用可能性】
【００１３】  化学装置において、原料の多様化によりフッ酸化合物を含んだ原料が増加している。耐食性能に加え大型塔内工事の安全性に適合したポリプロピレン製ユニット式グリッドトレーの利用価値が増加している。大型塔内では運転中にポリプロピレン製ユニット式グリッドトレーは局所的に複雑な力（振動、熱膨張、滑り移動等）を受ける。ここに提案するポリプロピレン製固定支持具は工場出荷時に設置される固定棒両端ストッパーの安全性を現場施工時に補完する確実且つ簡便なものである。大型化する装置に於いて利用の可能性が高まると考える。
【符号の説明】
【００１４】Ａ．固定治具（Ａタイプ）  Ｂ．固定治具（Ｂタイプ）  １．平板  ２．丸棒  ３．パイプ  ４．アーチ  ５．傾斜角型スペーサ
【図１】
0003218445.tif 000003
【図２】
0003218445.tif 000004
【図３】
0003218445.tif 000005
【図４】
0003218445.tif 000006
【手続補正書】
【提出日】平成30年7月30日(2018.7.30)
【手続補正１】
【補正対象書類名】実用新案登録請求の範囲
【補正対象項目名】全文
【補正方法】変更
【補正の内容】
【実用新案登録請求の範囲】
【請求項１】
気液の接触を目的として運転される化学装置に用いられるポリプロピレン製板状矩形固定治具であって、塔内に充填する固体粒子や充填物を保持するポリプロピレン製格子状構造体であるユニット式グリッドトレーの隣り合うユニット式グリッドトレーの連結固定棒（丸棒）端部どうしを跨ぐＵ字型切り欠き溝を有し、隣り合うユニット間隙の厚みと下部トレー支持台（アーチ）幅の長さ及びグリッドバー高さの形状を有するポリプロピレン製板状矩形固定治具。
【手続補正２】
【補正対象書類名】明細書
【補正対象項目名】全文
【補正方法】変更
【補正の内容】
【考案の詳細な説明】
【技術分野】
【０００１】  化学装置（例えば硫酸製造設備における、冷却洗浄塔、転化器、乾燥塔、吸収塔等）においてポリプロピレン製品の溶接部の耐食性や強度的劣化が問題になる場合がある。
溶接部を一切排したポリプロピレン製ユニット式グリッドトレーはポリプロピレン製グリッドバーを連結固定棒、スペーサ（パイプ）で連結、端部をストッパーで固定しユニット構成され当該課題を解決する手段として有効である。しかし運転中にグリッドトレーには梁強度計算モデルでは解析できない気液流動体や充填物の複雑な振動、偏心荷重が作用する。その場合、連結固定棒端部でグリッドバーを固定するストッパーが損傷してグリッドバー及びユニット全体が移動や変形を起こす恐れがある。長期間の運転中にストッパーが損傷しても移動や変形に依って空隙率（グリッドバー間隔）が変化しないような安全対策が必要である。
【背景技術】
【０００２】上記化学装置に使用される耐酸磁器製グリッドトレーはポリプロピレン製グリッドトレー｛グリッドバー、連結固定棒、スペーサ、端部ストッパーで構成｝のように工場でユニット化してから現場据え付けすることは困難であるため現場でユニットグリッドバー間隙にポリプロピレン製板状矩形固定冶具を装入してトレー空隙率とトレー位置固定を図る。
一方工場で加工されユニット化されたポリプロピレン製グリッドトレーは据付け現場の塔内でトレー支持台上に平面的敷設後、そのまま充填物を装入して運転に入る。
運転中に気液流動体、充填物の振動や充填物偏心荷重に依って連結固定棒の端部ストッパーが損傷してグリッドバー単体或はユニット一式が移動・変形する恐れがある。従って気液流動体や充填物に起因する複雑な振動や偏心荷重を最小限に抑えるため個々のユニットグリッドトレーを据付け後、グリッドトレー間隔を一定に保持すると同時に隣り合うユニットの固定棒端を跨ぐ板状矩形固定冶具が必要である。
【先行技術文献】
【特許・実用新案文献】
【０００３】
【実用新案文献１】
実公平２４−３１７５４５６  ポリプロピレン製ユニット式グリッドバー
【非特許文献】
【０００４】
【非特許文献１】‘Ｃｅｒａｍｉｃ  Ｐａｃｋｉｎｇ  ａｎｄ  Ｉｎｔｅｒｎａｌｓ  ｆｏｒ  Ａｃｉｄｉｃ  Ａｐｐｌｉｃａｔｉｏｎｓ’Ｃａｔａｌｏｇｕｅ  ｏｆ  Ｓａｉｎｔ  Ｇｏｂａｉｎ  Ｃｏｒｐｏｒａｔｉｏｎ．  Ｎｏｒｐｒｏ  Ａｌｕｄｕｒ  ｇｒｉｄ  ｂａｒｓ  ａｒｅ  ｉｄｅａｌ  ｆｏｒ  ｕｓｅ  ａｓ  ｐｒｉｍａｒｙ  ｓｕｒｐｐｏｒｔｓ  ｉｎ  ｓｕｌｆｕｒｒｉｃ  ａｃｉｄ  ａｂｓｏｒｂｅｒｓ，ｄｒｉｅｒｓ，ｃｏｏｌｅｒｓ  ａｎｄ  ｏｔｈｅｒ  ｈｉｇｈｌｙ  ｃｏｒｒｏｓｉｖｅ  ａｐｐｌｉｃａｔｉｏｎ  ｉｎ  ｌａｒｇｅ−ｄｉａｍｅｔｅｒ  ｔｏｗｅｒｓ．
【考案の概要】
【考案が解決しようとする課題】
【０００５】［産業上の利用分野］
本考案は硫酸製造設備など垂直な塔内に固体粒子や充填物を充填し、気液の接触を目的に運転される化学装置において、固体粒子や充填物を保持するグリッドトレー（図１）が振動や偏心荷重を受けても空隙率変化や機械的損傷が無い様、隣り合うグリッドトレー間の間隙を埋めると同時に相互に連結してグリッドトレー全体の機能維持を図るために設置される固定冶具である。【０００６】  充填物を有する化学装置は、その下部に気体及び液体が通過する空間を持つ複数のアーチ（図４の４）が耐酸磁器煉瓦やＦＲＰライニング構造体によって構築され、このアーチ上にユニット式ポリプロピレン製格子状構造体（図３及び図４）が隣り合って個々に整列され塔内全体に整列・平面状に敷設される。【０００７】  一平面内に敷設された個々のユニット式グリッドトレーは相互に連結、固定しないと運転中に振動や上記アーチ（図４の４）の傾斜や凹凸のため移動して変形や離反する恐れがある。その結果グリッドトレーの空隙率が変化や極端な場合にはグリッドトレーが変形して性能に支障をきたす事がある。
【課題を解決するための手段】
【０００８】  本考案は、塔内に充填する固体粒子や充填物を保持する格子状構造体、即ち隣り合う各々のユニット式グリッドトレー両端を連結する丸棒（図２−２）を跨ぐ固定冶具で連結することに依りグリッドトレー面全体を緊縛固定する事が可能となり、予めセットした丸棒両端のストッパーが損傷した場合でもグリッドトレーの重なり、離反、変形等の防止策の役割をする。【０００９】  本考案のポリプロピレンを材質としたユニット式グリッドトレー間の固定冶具の構造を示す。・・・  図２：固定治具（Ａタイプ）、図２：固定治具（Ｂタイプ）
ユニット式グリッドトレーの両丸棒端部を跨ぎ連結する。グリッドバーと固定冶具は十分な接触面を有するため隣り合う双方のグリッドバーの面間隔は常に正常に保たれ充填物の一時的偏在が（偏心荷重）あっても有害な傾斜や変形を防ぐことが出来る。【００１０】
【考案の効果】
【００１１】  隣り合うポリプロピレン製ユニット式グリッドトレーの固定棒端を跨ぐよう切り欠きを有した板状矩形固定冶具を全ての対象箇所に装入した結果、グリッドトレーは互いに強固に結束されグリッドバー間隔は常に垂直に保つことが可能となり安定操業に貢献した。
【図面の簡単な説明】
【００１２】
【図１】ポリプロピレン製ユニット式グリッドバー平面図  Ａ．固定治具（Ａタイプ）  Ｂ．固定治具（Ｂタイプ）  １．平板  ２．丸棒  ３．パイプ
【図２】ポリプロピレン製ユニット式グリッドバー側面図  Ａ．固定治具（Ａタイプ）  Ｂ．固定治具（Ｂタイプ）  １．平板  ２．丸棒
【図３】塔平面図  Ａ．固定治具（Ａタイプ）  Ｂ．固定治具（Ｂタイプ）  １．平板  ３．パイプ  ５．傾斜角型スペーサ
【図４】塔側面図  Ａ．固定治具（Ａタイプ）  Ｂ．固定治具（Ｂタイプ）  １．平板  ２．パイプ  ４．アーチ
【産業上の利用可能性】
【００１３】  化学装置において、原料の多様化によりフッ酸化合物を含んだ原料が増加している。耐食性能に加え大型塔内工事の安全性に適合したポリプロピレン製ユニット式グリッドトレーの利用価値が増加している。大型塔内では運転中にポリプロピレン製ユニット式グリッドトレーは局所的に複雑な力（振動、熱膨張、滑り移動等）を受ける。ここに提案するポリプロピレン製板状矩形固定冶具は工場出荷時に設置される固定棒両端ストッパーの安全性を現場施工時に補完する確実且つ簡便なものである。高負荷・大型化する化学装置に於いて利用の可能性が高まると考える。
【符号の説明】
【００１４】Ａ．固定治具（Ａタイプ）  Ｂ．固定治具（Ｂタイプ）  １．平板  ２．丸棒  ３．パイプ  ４．アーチ  ５．傾斜角型スペーサ